(57)【要約】【課題】製品品質を保持しつつ、駅単位の設計期間短縮を実現可能であり、且つ、電子連動装置の動作状態を視認可能な電子連動システムを提供する。【解決手段】連動論理に基づき停車場構内における安全な列車運転を確保する保安機能と、雑回路に基づき諸設備を制御する機能を有する電子連動装置において、連動論理処理に連動プログラム方式を用い、雑回路処理に結線論理入力方式を用いる方式とし、連動論理処理標準プログラムと、駅別データと、結線論理処理プログラムと、結線論理データから成るシステム構成とする。また、内部ステータスをインターフェーステーブルに展開し、モニタ装置にてプログラムの動作状態（内部ステータス）を表示する。【選択図】図１
2007307975.tif 000002
【特許請求の範囲】
【請求項１】
連動論理に基づき停車場構内における安全な列車運転を確保する保安機能と雑回路に基づき諸設備を制御する機能を有する電子連動システムにおいて、
連動プログラム方式を用いて連動論理処理を行い、結線論理入力方式を用いて雑回路処理を行うことを特徴とする電子連動システム。
【請求項２】
請求項１に記載の電子連動システムにおいて、
前記連動プログラム方式を実行する連動論理処理部と結線論理入力方式を実行する雑回路処理部を備えており、前記連動論理処理部は、連動論理処理標準プログラムと駅別データを有し、前記雑回路処理部は、結線論理処理プログラムと結線論理データを有していることを特徴とする電子連動システム。
【請求項３】
請求項１または請求項２に記載の電子連動システムにおいて、
前記連動プログラム方式による連動論理処理の内部ステータス及び、結線論理入力方式による雑回路処理の内部ステータスをインターフェーステーブルに展開し、モニタ装置にプログラムの動作状態を表示することが可能な構成を有することを特徴とする電子連動システム。
【請求項４】
請求項１ないし請求項３のいずれかに記載の電子連動システムにおいて、
前記保安機能は、鉄道における輸送業務を安全且つ効率的に遂行する為の信号保安設備のうち、閉そく装置と信号装置、信号装置と転てつ装置の相互間を関連付けて、停車場構内における安全な列車運転を確保する連動論理を連動図表データとして表現して制御を行い、前記諸設備を制御する機能は、駅ごとに異なる雑回路結線図に基づいて諸設備を制御することを特徴とする電子連動システム。
【発明の詳細な説明】
【技術分野】
【０００１】
本発明は電子連動システムに関する。
【背景技術】
【０００２】
一般に電子連動システムの処理方式としては、連動図表をベースとした処理方式［方式１］と、結線図をベースとした処理方式［方式２］が知られている。
【０００３】
［方式１］連動プログラム方式
連動図表とは、連動装置の連鎖などの内容を鉄道信号用記号、図記号などを用いて表した図表である。連動プログラム方式とは、連動論理を機能単位に標準プログラム化し、連動図表で表現される各駅固有の連動条件を連動データとして与えることで、連動論理処理を実現するものである。例えば、特許文献１には、鉄道運行の保安の要である連動装置が搭載している信号機・転てつ器等を制御する詳細なロジックを記載する書面である「連動図表」を生成するための連動情報抽出方法が示されている。
【０００４】
［方式２］結線論理入力方式
結線論理とは、ハードウェアの結線により動作条件を実現する制御論理であり、結線論理入力方式とは、結線論理を論理式に変換し、ソフトウェア上で実行する方式である。特に、鉄道信号保安装置の電気回路を文字記号及び、図記号を用いて表した線図を信号結線図と称す。
【０００５】
結線論理入力方式を採用する電子連動システムとしては、例えば、特許文献２に示されているように、多数の継電器等を使用した回路群からなる結線図をマウスなど入力装置を用いてコンピュータに入力し、このコンピュータにより結線図の入力により得た図形データから鉄道信号用連動装置の連動条件に使用可能な論理データを作成し、作成した論理データに対する連動模擬動作処理をコンピュータにより行うものが知られている。
【特許文献１】特開２００３−８１０９０号公報
【特許文献２】特開平５−１６８０７号公報
【発明の開示】
【発明が解決しようとする課題】
【０００６】
しかし、前記方式１においては、駅ごとに制御論理が大きく異なる要素を有する諸設備に対し、機能の標準化とデータによる対応が困難であり、設備毎にプログラムを作成する必要があった。一方、前記方式２においては、連動論理を実現するために、専門の知識を持った人間が駅単位に大量の結線図を作成する必要があった。また、大規模駅の連動論理は結線数が膨大なものとなり、結線図入力の作業が煩雑なものとなった。また、電子連動装置はプログラムの動作状態が見えないという欠点があり、可視化が課題となっている。
【０００７】
本発明の目的は、製品品質を保持しつつ、駅単位の設計期間短縮を実現可能であり、且つ、電子連動装置の動作状態を視認可能な電子連動システムを提供することにある。
【課題を解決するための手段】
【０００８】
本発明の電子連動装置は、連動論理に基づき停車場構内における安全な列車運転を確保する保安機能と、雑回路に基づき諸設備を制御する機能を有する電子連動装置において、連動論理処理に連動プログラム方式を用い、雑回路処理に、結線論理入力方式を用いる処理方式としている。また、内部ステータスをインターフェーステーブルに展開し、モニタ装置にプログラムの動作状態（内部ステータス）を表示する。
【発明の効果】
【０００９】
本発明によれば、製品品質を保持しつつ、駅単位の設計期間短縮を実現可能であり、且つ、ステータスモニタ機能により、プログラムの動作状態をモニタする事で、トラブルシューティングが容易な電子連動システムを提供できる。
【発明を実施するための最良の形態】
【００１０】
以下、発明の実施の形態について図面を用いて説明する。
【実施例１】
【００１１】
図１は本発明の一実施例に係る電子連動システムの構成図を示し、図２は本発明の一実施例に係る電子連動システムの処理フローチャートを表している。図１において、電子連動システム１は、連動プログラム方式による連動論理処理部２と、結線論理入力方式による雑回路処理部３と、連動論理処理部２及び、雑回路処理部３の間で相互に参照可能な内部ステータスを展開するインターフェーステーブル４と、プログラムの内部ステータスを表示する連動ステータスモニタ５と、電子連動システムと外部機器間のデータ入出力及び、連動ステータスモニタへの内部ステータスデータ出力を司るデータ入出力処理部６により構成されている。
【００１２】
連動論理処理部２は、信号機と転てつ器の間の一定の取り扱い順序を定めた連動論理を連動図表に記載される機能単位に標準化した連動論理処理標準プログラム１１と、連動論理処理標準プログラム１１を駆動する駅別データ１２により構成されている。雑回路処理部３は、結線論理を論理式に展開したデータを演算するプログラムである結線論理処理プログラム１４と、結線論理処理プログラム１４を駆動する結線論理データ１５から構成されている。
【００１３】
駅別データ１２は、各駅固有の連動条件を定義したデータであり、各駅毎の連動装置の連鎖などの内容を鉄道信号用の文字記号、図記号などを用いて表した図表である連動図表１３の記載内容を連動論理処理標準プログラム１１で処理可能な形式に展開したデータである。結線論理データ１５は、各駅毎の諸設備の制御論理を文字記号及び図記号を用いて表した線図である雑回路結線図１６の結線論理を結線論理処理プログラム１４で演算可能な形式に展開したデータである。
【００１４】
次に、処理の流れを説明する。図２に示すように、データ入力処理２１、雑回路処理（１）２２、連動論理処理２３、雑回路処理（２）２４、データ出力処理２５をサイクリックに実行する。データ入力処理２１では、指示入力データ、設備状態等、外部機器からの入力データを取り込む。雑回路処理（１）２２では、入力データに基づき、連動論理処理２３にて使用するデータ生成が必要な結線論理データについて、結線論理処理を行う。連動論理処理２３では、入力データと、雑回路処理（１）にて生成したデータ及び、駅別データに基づき、連動論理処理を行い、連動制御出力データを生成する。雑回路処理（２）２４では入力データと、連動論理処理２３にて作成された連動制御出力データに基づき、結線論理処理により、諸設備に関する制御及び表示出力データを生成する。データ出力処理２５では、連動制御出力データと、諸設備に関する制御及び表示出力データと、内部ステータスデータを出力する。
【００１５】
本発明の実施例では、以上の構成から、連動処理に関しては、連動論理処理標準プログラム１１が全駅に共通で適応出来ることにより、新たな駅を設計する際は、駅別データ１２を作成するだけでよく、複雑な連動論理部結線図を大量に作成する必要がない為、設計期間を大幅に短縮できる。また、標準プログラムであることから、連動論理としての品質は一定に保たれ、駅毎の連動論理の信頼性は電子連動システムに保持される。一方、駅毎に制御論理が大きく異なり、標準化の困難な諸設備については、結線論理入力方式により、制御論理を外部から与える形式とすることで、さまざまな条件に柔軟に対応ができる。また、内部ステータスを出力する事により、連動装置の動作状態をモニタ可能となる。
【図面の簡単な説明】
【００１６】
【図１】本発明の一実施例に係る電子連動システムのブロック図である。
【図２】本発明の一実施例に係る電子連動システムの処理フローチャートである。
【符号の説明】
【００１７】
１    電子連動システム
２    連動論理処理部
３    雑回路処理部
４    インターフェーステーブル
５    連動ステータスモニタ
６    データ入出力処理部
１１    連動論理処理標準プログラム
１２    駅別データ
１３    連動図表
１４    結線論理処理プログラム
１５    結線図データ
１６    雑回路結線図
２１    データ入力処理
２２    雑回路処理（１）
２３    連動論理処理
２４    雑回路処理（２）
２５    データ出力処理
【図１】
2007307975.tif 000003
【図２】
2007307975.tif 000004